(57)【要約】  本発明は、電気的なコネクタプラグであって、プラグ本体（２）が設けられていて、該プラグ本体（２）が１つの内側コンタクトピン（３）と、該内側コンタクトピン（３）からプラグ本体（２）の長手方向軸線に対して半径方向に間隔をおいて位置する少なくとも１つの外側コンタクトとを有しており、プラグ本体（２）を受容するハウジングエレメントが設けられていて、該ハウジングエレメントが、そのコンタクト側の前側開口の領域において内側で外側コンタクトの外側に接触していて、ハウジングエレメントに対するプラグ本体（２）の軸方向運動によってプラグ（１）の外側コンタクトが、ブシュの外側コンタクトに半径方向内側に向かって圧着可能である形式のものに関する。このような形式のコネクタプラグの取扱いを改善するために本発明の構成では、プラグ本体（２）がハウジングエレメント内に軸方向シフト可能に支承されていて、ハウジングエレメントに、プラグ本体（２）に対して作用するレバー（１０）が回転可能に取り付けられていて、プラグ本体（２）がレバー（１０）の操作によってハウジングエレメントに対して相対運動可能であるようにした。
2007519190.tif 000002
【特許請求の範囲】
【請求項１】
電気的なコネクタプラグであって、プラグ本体（２）が設けられていて、該プラグ本体（２）が１つの内側コンタクトピン（３）と、該内側コンタクトピン（３）からプラグ本体（２）の長手方向軸線に対して半径方向に間隔をおいて位置する少なくとも１つの外側コンタクトとを有しており、プラグ本体（２）を受容するハウジングエレメントが設けられていて、該ハウジングエレメントが、そのコンタクト側の前側開口の領域において内側で外側コンタクトの外側に接触していて、ハウジングエレメントに対するプラグ本体（２）の軸方向運動によってプラグの外側コンタクトが、ブシュの外側コンタクトに半径方向内側に向かって圧着可能である形式のものにおいて、プラグ本体（２）がハウジングエレメント内に軸方向シフト可能に支承されていて、ハウジングエレメントに、プラグ本体（２）に対して作用するレバー（１０）が回転可能に取り付けられていて、プラグ本体（２）がレバー（１０）の操作によってハウジングエレメントに対して相対運動可能であることを特徴とするコネクタプラグ。
【請求項２】
プラグ（１）の外側コンタクトがその外側に、円錐形に成形された端部区分を有している、請求項１記載の電気的なコネクタプラグ。
【請求項３】
ハウジングエレメントがその前側開口の領域に、円錐形の先細部を有している、請求項１又は２記載の電気的なコネクタプラグ。
【請求項４】
ハウジングエレメントがベース体（７）と、該ベース体（７）に解離可能に結合されたハウジングカバー（８）とから成っており、レバー（１０）がベース体（７）に回転可能に支承されている、請求項１から３までのいずれか１項記載の電気的なコネクタプラグ。
【請求項５】
ハウジングエレメントに解離可能に取り付けられるリングエレメント（９）が設けられており、該リングエレメント（９）によって、ベース体（７）とハウジングカバー（８）とがハウジングエレメントの前側開口の領域においてまとめられる、請求項４記載の電気的なコネクタプラグ。
【請求項６】
レバー（１０）がカム付きレバーとして形成されていて、該カム付きレバーのカム区分（１１）がプラグ本体（２）の、コンタクト側とは反対の背側に接触している、請求項１から５までのいずれか１項記載の電気的なコネクタプラグ。
【請求項７】
カム付きレバー（１０）はプラグ本体（２）に接触しているカム区分（１１）において次のように、すなわちカムレバー（１０）がクランプ位置においてセルフロッキング式に係止するように、成形されている、請求項６記載の電気的なコネクタプラグ。
【請求項８】
ハウジングエレメントが、プラグ（１）の長手方向軸線に対して側方に曲げられたケーブルガイド区分（１７）を有している、請求項１から７までのいずれか１項記載の電気的なコネクタプラグ。
【請求項９】
ケーブルガイド区分（１７）の領域に、該ケーブルガイド区分（１７）内を延びるケーブルをプラグに固定するためのクランプ装置（１８）が配置されている、請求項８記載の電気的なコネクタプラグ。
【請求項１０】
プラグ（１）の外側コンタクトがそのコンタクト領域において、導電性のコンタクト舌片（４）として形成されており、ブシュにおけるプラグ（１）の固定のために、導電性のクランプ舌片（５）が設けられていて、該クランプ舌片（５）が、コンタクト舌片（４）と一緒に、半径方向内側に向かってブシュの外側コンタクトに圧着可能である、請求項１から９までのいずれか１項記載の電気的なコネクタプラグ。
【請求項１１】
コンタクト舌片（４）がブシュの外側コンタクトに向けられた内側に、線状の隆起部を有している、請求項１０記載の電気的なコネクタプラグ。
【発明の詳細な説明】
【技術分野】
【０００１】
本発明は、電気的なコネクタプラグであって、プラグ本体が設けられていて、該プラグ本体が１つの内側コンタクトピンと、該内側コンタクトピンからプラグ本体の長手方向軸線に対して半径方向に間隔をおいて位置する少なくとも１つの外側コンタクトとを有しており、プラグ本体を受容するハウジングエレメントが設けられていて、該ハウジングエレメントが、そのコンタクト側の前側開口の領域において内側で外側コンタクトの外側に接触していて、ハウジングエレメントに対するプラグ本体の軸方向運動によってプラグの外側コンタクトが、ブシュの外側コンタクトに半径方向内側に向かって圧着可能である形式のものに関する。
【０００２】
このような形式のコンタクトプラグは、｛シンチプラグ」又は「ＲＣＡプラグ」という名で知られており、オーディオ信号又はビデオ信号の非対称的な伝達を目的として、娯楽用電子装置の機器の間における解離可能なケーブル結合を生ぜしめるために働く。
【０００３】
冒頭に述べた形式のコネクタプラグは例えばＥＰ０４６０１４５Ｂ１に記載されている。この公知のプラグでは、プラグ本体を取り囲むカバースリーブが設けられている。このカバースリーブはそのコンタクト側の前側開口の領域において内側で、プラグ本体に設けられた外側コンタクトの外側に接触している。カバースリーブは軸方向においてプラグ本体に螺合可能であり、その結果プラグの外側コンタクトは、カバースリーブが螺合時に軸方向においてプラグ本体に対して相対運動した時に、プラグと嵌り合うブシュの外側コンタクトに、半径方向内側に向かって押し付けられる。このようなブシュの外側コンタクトに対するプラグの外側コンタクトの圧着によって、プラグとブシュとの間において摩擦力結合式のクランプ結合部が生ぜしめられ、その結果プラグはしっかりと弛みなしにブシュに保持される。従って公知のコネクタプラグによって、対応するシンチブシュとの間における電気的にも機械的にも安定した確実な結合部が形成される。
【０００４】
しかしながら公知のコネクタプラグにおける欠点としては次のことが挙げられる。すなわち公知のコネクタプラグでは、娯楽用電子装置の相応な機器のブシュにプラグを取り付けることが比較的複雑かつ面倒である。通常このような機器では、機器ハウジング内に取り付けられたブシュは機器の背側に設けられている。つまりプラグの使用者はブシュにプラグを差し込むために機器の後ろにアクセスする必要があり、これによって初めて両手を使ってカバースリーブを、プラグ本体においてクランプ結合部を形成するために締め付けることができる。この場合片手は、螺合のために必要な回転運動を行い、これに対して他方の手は、プラグ本体が一緒に回ることを阻止するために、プラグ本体をしっかりと保持することが必要である。機器の背側において多数のブシュが存在していて、これらのブシュに既にプラグが差し込まれているような場合に、プラグの取付けは特に面倒である。このようなことは特にしばしば、Ｈｉｆｉアンプ又はレシーバにおいて見られる。このような場合にしばしば、両手でプラグをブシュに緊締するのに十分なスペースを見出すことは、ほとんど不可能である。さらに困難なことに、使用者は所属のブシュにプラグを差し込み際に多くの場合機器の前でその前面に位置し、機器の上を超えてアクセスするか又は横を通ってアクセスして、プラグ本体にブシュを螺合させなくてはならない。機器の前にいる使用者にとってはしばしば、このような配置形式に基づいて、プラグ本体への螺合時にカバースリーブをどちらの方向に回動させることが必要なのか、認識することが困難である。そしてカバースリーブはしばしば誤った方向に回動させられ、その結果カバースリーブは不本意にプラグ本体から解離してしまう。上述のような理由から上記形式のコネクタプラグは、しばしば、このようなプラグによって特に堅固で確実な電気的な差し込み結合部を形成できる場合でも、取扱いが面倒であると感じられてしまう。
【０００５】
ゆえに本発明の課題は、冒頭に述べた形式のコネクタプラグを改良して、上述のような欠点及び問題を可能な限り排除することである。特にプラグは簡単かつ迅速にしかも片手でブシュに差込み可能であり、かつブシュに固定可能であることが望まれている。
【０００６】
この課題を解決するために本発明の構成では、冒頭に述べた形式のコネクタプラグにおいて、プラグ本体がハウジングエレメント内に軸方向シフト可能に支承されていて、ハウジングエレメントに、プラグ本体に対して作用するレバーが回転可能に取り付けられていて、プラグ本体がレバーの操作によってハウジングエレメントに対して相対運動可能であるようにした。
【０００７】
本発明によるコネクタプラグでは、ハウジングエレメントの内部におけるプラグ本体の軸方向運動がレバーの操作によって行われる。プラグの外側コンタクトがハウジングエレメントに対するプラグ本体の軸方向運動時に、半径方向内側に向かって対応するブシュの外側コンタクトに圧着可能であることによって、本発明によるプラグはレバーの簡単な操作によりブシュに対して固定及び解離、つまり着脱される。この際にコネクタプラグの使用は片手だけで問題なく行うことができる。またプラグを例えば相応なブシュに差し込むためにも、片手でプラグを掴むことができる。差し込んだ後で、プラグとブシュとの間における摩擦力結合式（kraftschluessig）の結合部を生ぜしめるためには、単にレバーを操作するだけでよく、この動作も同様に片手で行うことができる。ブシュからのプラグの解離のためにも同様にレバーが操作され、次いでプラグが掴まれてブシュから引き出される。すなわち本発明によればブシュに対するプラグの固定時及び解離時に、いかなる螺動も不要であり、その結果プラグの取扱いは、従来技術に基づいて公知のプラグに比べて、著しく簡単で手間がかからない。
【０００８】
本発明によるコネクタプラグにおいて、ハウジングエレメントに対するプラグ本体の軸方向運動によって生ぜしめられるプラグの外側コンタクトの半径方向運動を得るために、本発明の有利な構成では、プラグの外側コンタクトがその外側に、円錐形に成形された端部区分を有しており、さらに、ハウジングエレメントがその前側開口の領域に、プラグの外側コンタクトの円錐形の端部区分に対応する円錐形の先細部を有している。このように構成されていると、プラグ本体の軸方向運動を特に簡単に、外側コンタクトの半径方向運動に変換することができる。
【０００９】
本発明によるコネクタプラグの別の有利な構成では、ハウジングエレメントがベース体と、該ベース体に解離可能に結合されたハウジングカバーとから成っており、レバーがベース体に回転可能に支承されている。このような構成では、プラグ本体がベース体からのハウジングカバーの除去によって容易に接近可能であるか又は、それどころかハウジングエレメントから完全に取り出すことが可能である。これによって、例えばプラグの外側コンタクトもしくは内側コンタクトピンにおけるケーブルのろう接が問題なく可能になる。本発明によるコネクタプラグの特に有利な構成では、ハウジングエレメントに解離可能に取り付けられるリングエレメントが設けられており、該リングエレメントによって、ベース体とハウジングカバーとがハウジングエレメントの前側開口の領域においてまとめられるようになっている。リング体もしくはリングエレメントは、ハウジングエレメントにその前側開口の領域において特別な安定性を与え、このことが有利なのは、ハウジングエレメントの当該領域にはブシュにおけるプラグの固定のために必要な圧着力が加えられねばならないからである。同時に、ベース体とハウジングカバーとはリングエレメントの取外しによって極めて簡単に互いから解離することができる。
【００１０】
本発明によるコネクタプラグの特に有利な構成では、レバーがカム付きレバーとして形成されていて、該カム付きレバーのカム区分がプラグ本体の、コンタクト側とは反対の背側に接触している。カム区分の形状付与によって、プラグ本体の軸方向運動へのレバーの回転運動の変換が決定される。カム付きレバーに対して作用する回転モーメントは、カム区分を介して大きな推進力に転換されることができ、この大きな推進力は軸方向においてプラグ本体に作用する。これによって、一方ではブシュにおけるプラグ固定のための大きな圧着力がもたらされ、他方ではレバー操作のために比較的小さな力しか必要としないという利点が得られる。従って本発明によるコネクタプラグは特に快適に取扱い可能になる。コネクタプラグが自動的にブシュから解離することを防止するために、本発明の有利な構成では、カム付きレバーはプラグ本体に接触しているカム区分において次のように、すなわちカムレバーがクランプ位置においてセルフロッキング式（selbsthemmend）に係止するように、成形されている。
【００１１】
特に、本発明によるコネクタプラグが上述のようにカム付きレバーとして形成されてレバーを有していて、このレバーがプラグ本体の背側に作用するようになっている場合には、ハウジングエレメントが、プラグの長手方向軸線に対して側方に曲げられたケーブルガイド区分を有していると有利である。プラグ本体の背側に配置されたレバーに基づいて、プラグ本体のコンタクトと結合されたケーブルをこの領域においてプラグのハウジングエレメントから外に案内することはできない。従って側方に曲げられたケーブルガイド区分を介してケーブルは、横方向にハウジングエレメントから外に案内される。横方向もしくは側方に曲げられたケーブルガイド区分に基づいてハウジングエレメントは、特に良好に取り扱うことができ、しかもブシュへのプラグの差込みもしくはブシュからのプラグの引出しのために快適に掴むことができる。側方に曲げられたケーブルガイド区分は、この場合「ピストルグリップ」の形式で形成されていることができる。本発明の別の有利な構成では、ケーブルガイド区分の領域に、該ケーブルガイド区分内を延びるケーブルをプラグに固定するためのクランプ装置が配置されている。
【００１２】
本発明によるコネクタプラグのさらに別の有利な構成では、プラグの外側コンタクトがそのコンタクト領域において、導電性のコンタクト舌片として形成されており、ブシュにおけるプラグの固定のために、導電性のクランプ舌片が設けられていて、該クランプ舌片が、コンタクト舌片と一緒に、半径方向内側に向かってブシュの外側コンタクトに圧着可能である。この場合プラグの外側コンタクトとして導電性のコンタクト舌片が使用されるので、外側コンタクトは、汎用のシンチプラグとは異なり、内側コンタクトピンを完全には取り囲んでいない。これによってプラグの信号伝達特性は著しく改善される。ブシュにおけるプラグの確実な固定を保証するために、さらに導電性のクランプ舌片が設けられており、これらのクランプ舌片はハウジングエレメントに対するプラグ本体の軸方向運動によって、ブシュの外側コンタクトに押し付けられる。ブシュにおける本発明によるプラグの機械的な保持の際に、コンタクト舌片とクランプ舌片とは共働する。これによって電気的にも機械的にも従来技術に比べて最適化された電気的なコネクタプラグが得られる。上述のように形成されたプラグの大きな利点としては次のことが挙げられる。すなわちこのようなプラグでは、コネクタプラグによって形成された差込み結合部のインピーダンスを、使用されるケーブルの反復インピーダンス（Wellenwiderstand）に合わせることができるように、コンタクト舌片の面もしくは面積を選択することができる。つまりコンタクト舌片の面積は、プラグのインピーダンスに決定的な影響を与える。そしてプラグの製造時に既に、コンタクト舌片の面積を適宜に規定することによって、最適化されたインピーダンス特性を用意することができる。
【００１３】
本発明によるコネクタプラグのさらに別の有利な構成では、コンタクト舌片がブシュの外側コンタクトに向けられた内側に、線状の隆起部を有している。このような構成では線状の隆起部を介して、ブシュの外側コンタクトとの電気的なコンタクトが正確に規定された箇所において得られる。線状の隆起部の表面によって、コネクタプラグのコンタクト面は正確にかつ再現可能に規定されている。
【００１４】
次に図面を参照しながら本発明の実施例を説明する。
【００１５】
図１は、ハウジングエレメントに挿入可能なプラグ本体を備えたコネクタプラグを示す図であり、
図２は、プラグの機能を示す図であり、
図３は、プラグを分解して示す図であり、
図４は、完全に組み立てられたプラグを示す図である。
【００１６】
図面には、本発明による電気的なコネクタプラグ全体が符号１で示されている。このコネクタプラグ１はプラグ本体２を有していて、このプラグ本体２には内側コンタクトピン３と、プラグ本体２の長手方向軸線に対して半径方向に間隔をおいて位置する外側コンタクト４とが配置されている。プラグ１の外側コンタクト４はそのコンタクト領域において、図１、図２及び図３から分かるように、導電性のコンタクト舌片として形成されており、この場合相応なブシュにおけるプラグ１の固定のために、導電性材料から成るクランプ舌片５が設けられている。コンタクト舌片４とケーブルとの結合のためには、ろう接板６が設けられている。プラグ本体２はハウジングエレメントによって受容され、このハウジングエレメントはベース体７と、このベース体７に解離可能に結合されたハウジングカバー８とから成っている。図３及び図４に示されていてハウジングエレメントに解離可能に取り付けられるリングエレメント９を用いて、ベース体７とハウジングカバー８とはハウジングエレメントの前側におけるコンタクト側開口の領域においてまとめられる。図面に示されたプラグ１ではリングエレメント９は、前方からハウジングエレメントに装着可能であり、そこで係止する。図２から分かるように、プラグ本体２はハウジングエレメントのベース体７内に軸方向摺動可能に支承されており、ベース体７にはレバー１０が回転可能に支承されており、このレバー１０はプラグ本体２に対して作用するので、プラグ本体２はレバー１０の操作によってプラグ１のハウジングエレメントに対して相対運動可能である。レバー１０は図示の実施例では、カム付きレバーとして形成されており、このカム付きレバーのカム区分１１はプラグ本体２の、コンタクト側とは反対の背側に接触している。矢印１２で示された方向におけるレバー１０の操作によって、プラグ本体２は前方に向かって、つまりプラグ１のコンタクト側に向かって軸方向にシフトされる。コンタクト舌片４及びクランプ舌片５はその外側に円錐形に成形された端部区分を有しており、この場合ハウジングエレメントはその前側開口の領域において内側の領域で、コンタクト舌片４及びクランプ舌片５の外側に接触している（矢印１３で示された接触領域参照）。ハウジングエレメントはこの領域に円錐形の先細部を有しており、その結果ハウジングエレメントに対するプラグ本体２の軸方向運動によって、コンタクト舌片４及びクランプ舌片５は、図示されていないブシュの外側コンタクトに、半径方向内側に向かって圧着可能である。コンタクト舌片４及びクランプ舌片５の半径方向運動は、図２に矢印１４で示されている。レバー１０の回転軸線は、スリーブ１５に挿入されたねじ１６によって形成され、このねじ１６を用いて同時にハウジングカバー８はベース体７に固定される。図示のコネクタプラグ１ではハウジングエレメントは、プラグ１の長手方向軸線に対して側方に曲げられたケーブルガイド区分１７を有しており、このケーブルガイド区分１７にはクランプねじ１８が、ケーブルガイド区分１７内を延びているケーブル（図示せず）をコネクタに固定するために設けられている。
【図面の簡単な説明】
【００１７】
【図１】ハウジングエレメントに挿入可能なプラグ本体を備えたコネクタプラグを示す図である。
【図２】プラグの機能を示す図である。
【図３】プラグを分解して示す図である。
【図４】完全に組み立てられたプラグを示す図である。
【図１】
2007519190.tif 000003
【図２】
2007519190.tif 000004
【図３】
2007519190.tif 000005
【図４】
2007519190.tif 000006
【国際調査報告】
2007519190.tif 000007
2007519190.tif 000008
2007519190.tif 000009
2007519190.tif 000010
2007519190.tif 000011
2007519190.tif 000012